(57)【要約】【課題】あるまとまった情報を記述したデータを一括で受信することによって複数の画面を構成させることができ，よりリッチな情報をユーザに提示できるようする。【解決手段】メール受信部２は，表示装置６の表示画面における表示切り替えの単位となる表示単位データを複数個含む構造化されたデータを，一つの電子メールとして受信し，受信メール記憶部３に保存する。表示データ作成部１３は，構造化されたデータを解析し，あらかじめ規定された情報表示ルールに則り，表示単位データに関する表示データを作成し，データ表示部１５は，その表示データを表示装置６に表示する。入力検出部１２は，入力装置５からの入力を検出し，表示対象となる表示単位データを選択する。これにより，表示の切り替えを可能にする。【選択図】図２
2007188378.tif 000002
【特許請求の範囲】
【請求項１】
入力装置と表示装置とを持つ一括受信データ表示処理装置であって，
外部との通信により，前記表示装置の表示画面における表示切り替えの単位となる表示単位データを複数個含む構造化されたデータを，一つのかたまりとしてまとめて受信するデータ受信手段と，
前記受信したデータを保存するデータ記憶手段と，
前記構造化されたデータを解析し，あらかじめ規定された情報表示ルールに則り，前記表示単位データに関する表示データを作成する表示データ作成手段と，
作成された表示データを前記表示装置に表示するデータ表示手段と，
前記入力装置からの入力を検出し，前記表示データ作成手段によって作成する表示データのもととなる表示単位データを選択する入力検出手段とを備える
ことを特徴とする一括受信データ表示処理装置。
【請求項２】
請求項１記載の一括受信データ表示処理装置において，
前記構造化されたデータ中に通信を利用して外部の情報源にアクセスする指定情報があり，前記入力検出手段がその指定情報に対する指示を検出した場合に，通信を利用してその外部の情報源にアクセスし，外部の情報源から情報を取得し，前記データ表示手段により前記表示装置に表示させる外部情報取得手段を備える
ことを特徴とする一括受信データ表示処理装置。
【請求項３】
請求項１または請求項２記載の一括受信データ表示処理装置において，
前記データ受信手段は，前記構造化されたデータを電子メールとして受信する手段である
ことを特徴とする一括受信データ表示処理装置。
【請求項４】
請求項１，請求項２または請求項３記載の一括受信データ表示処理装置において，
前記表示データ作成手段は，前記構造化されたデータに含まれる表示単位データの一覧情報を作成する詳細情報一覧作成手段を備える
ことを特徴とする一括受信データ表示処理装置。
【請求項５】
コンピュータを，
請求項１，請求項２，請求項３または請求項４記載の一括受信データ表示処理装置が備える前記各手段として機能させるための一括受信データ表示処理プログラム。
【請求項６】
コンピュータを，
請求項１，請求項２，請求項３または請求項４記載の一括受信データ表示処理装置が備える前記各手段として機能させるための一括受信データ表示処理プログラムを記録したコンピュータ読み取り可能な記録媒体。
【発明の詳細な説明】
【技術分野】
【０００１】
本発明は，携帯端末等の通信機能を持った端末が受信したデータを表示する一括受信データ表示処理装置に関するものである。
【背景技術】
【０００２】
パソコンや携帯電話など，通信を利用して情報を取得可能な装置がある。これらの装置においては，ＨＴＭＬブラウザやメールソフトウェアといった，通信を用いて取得した情報を表示するソフトウェアが多く用いられている。
【０００３】
また，下記の特許文献１には，表示部へ画面を表示し，画面を順次遷移させることによってサービス処理を実行する場合，一旦，作成した表示情報，遷移情報を変更するときに，その変更作業を短時間で容易に実行できるようにするため，表示部への画面表示と，表示部に表示されている画面を遷移させる要因の検出と，検出された遷移要因に応じた表示部における画面の遷移とを本体装置が行い，この本体装置とは別に補助装置を設け，表示内容等の表示情報と次画面の画面番号等の遷移情報とを補助装置が作成するようにした技術が記載されている。
【特許文献１】特開平５−２５７６７０号公報
【発明の開示】
【発明が解決しようとする課題】
【０００４】
しかし，特に携帯端末等では，メールによって受け取る情報に文字数制限や添付ファイルのサイズ制限があり，テキスト情報以外のリッチな情報を表示できない。また，複数の画面を行き来するような複雑な構成の画面を表示する方法がないため，テキスト情報と添付ファイル参照以外の操作を行う場合には，一度メール表示画面を終了させる必要がある。例えば，メール本文は制限文字数以内しかなく，本文中にネットワーク用のリンクが指定されていた場合に画面を遷移するためには通信を必要とし，さらにＨＴＭＬブラウザ（携帯版）を起動する必要がある。
【０００５】
また，ＨＴＭＬブラウザといったソフトウェアにおいても画面を変更するためには，有線または無線によるネットワークを介して通信をして，逐次ファイルを取得する必要がある。さらには，ユーザは，何度もマウスやキーボードなどの入力装置を使ってファイルを選択し，表示させる必要があった。
【０００６】
また，上記特許文献１には，遷移情報を容易に作成するための技術が記載されているが，通信を利用した受信データの表示，特に表示単位データであるページ情報の表示の切り替えを効率よく行うための技術については考慮されていない。
【０００７】
本発明は上記問題点の解決を図り，あるまとまった情報群を一つのかたまりとして，あらかじめ受信しておき，受信した情報群に含まれる各情報を，その都度，外部との通信を行うことなく画面を遷移させて随時参照することを可能とする装置を提供することを目的とする。
【課題を解決するための手段】
【０００８】
本発明は，上記課題を解決するため，外部との通信により，表示装置の表示画面における表示切り替えの単位となる表示単位データ（ページともいう）を複数個含む構造化されたデータを，一つのかたまりとしてまとめて受信するデータ受信手段と，前記受信したデータを保存するデータ記憶手段と，前記構造化されたデータを解析し，あらかじめ規定された情報表示ルールに則り，前記表示単位データに関する表示データを作成する表示データ作成手段と，作成された表示データを表示装置に表示するデータ表示手段と，入力装置からの入力を検出し，前記表示データ作成手段によって作成する表示データのもととなる表示単位データを選択する入力検出手段とを備え，入力装置からの入力により表示情報を変更できるようにしたことを特徴とする。
【０００９】
さらに，前記構造化されたデータ中に通信を利用して外部の情報源にアクセスする指定情報があり，前記入力検出手段がその指定情報に対する指示を検出した場合に，通信を利用してその外部の情報源にアクセスし，外部の情報源から情報を取得し，前記データ表示手段により表示装置に表示させる外部情報取得手段を備えてもよい。
【００１０】
また，前記構造化されたデータを電子メールとして受信し，保存することにより，データの受信と受信したデータの管理とを容易に行うことができる。
【００１１】
さらに，前記表示データ作成手段は，構造化データを解析し，構造化データに含まれる表示単位データの一覧情報を作成する詳細情報一覧作成手段を備えることにより，ユーザは入力装置からの簡易な入力によって表示情報を選択し，表示単位データを切り替えることができる。
【００１２】
図１は，従来の技術と本発明との比較説明図である。従来，例えば携帯電話で外部から情報を取得して表示する場合，例えば図１（Ａ）のように，ＨＴＭＬブラウザ（携帯版）の初期取得画面から，外部情報サーバへ情報取得要求を送り，逐次，外部情報サーバから取得した情報を画面に表示していた。画面を切り替える都度，情報取得要求を外部情報サーバへ送るため，通信が発生し，通信コストおよび情報を画面に表示するまでの時間がかかっていた。
【００１３】
これに対し，本発明では，図１（Ｂ）に示すように，あるまとまった情報の単位を一括して取得し，記憶装置に保存する。画面の表示情報を切り替える場合には，外部情報サーバへその都度，情報取得要求を送信するのではなく，記憶装置に保存していた情報群の中から，表示要求のあった情報を選択し，それを画面に表示する。したがって，事前に一括して取得した情報群を，通信なしで次々に画面の表示を切り替えて表示させることができる。
【発明の効果】
【００１４】
以上述べたように，この発明によれば，以下のようなことを可能とするシステムを提供することができる。
（１）情報を記述したデータを一括で受信することによって複数の画面を構成させることができ，よりリッチな情報をユーザに提示することができる。
（２）さらに，画像やＷｅｂ画面へ映像へのリンクを付けることで，より詳細な情報を提示することができ，必要に応じてインタラクティブに表示したり削除したりすることができる。
（３）また，情報の提供者は，受信する端末の制限によらず画像ファイルや情報を添付でき，より多くの情報を一括して送信し，受信者の端末に表示させることができる。
（４）簡単な入力操作でファイルを開いたり，画面遷移が可能であり，複雑な入力操作をする必要がない。
【発明を実施するための最良の形態】
【００１５】
以下では，本発明の実施の形態として，画面を遷移させて表示することができる情報群の取得に，電子メールを利用する例について説明する。以下は一例であり，サービスやファイルの構造に合わせて，データの受信方法や画面の遷移方法を変更し，本発明を実施することも可能である。
【００１６】
図２は，本発明の一実施形態に係る装置構成例を示す。図２において，１はＣＰＵやメモリを備えたデータ処理装置であり，具体的には携帯電話，携帯型情報機器，パーソナルコンピュータ等である。２はメール受信部，３は受信したメールを記憶する受信メール記憶部，４は既存のメールソフトウェアによる一般的な従来の電子メールの表示制御を行う一般メール表示制御部である。
【００１７】
また，１０は一括受信データ表示制御部であり，一括受信データ一覧作成部１１，入力検出部１２，表示データ作成部１３，外部情報取得部１４，データ表示部１５を備える。表示データ作成部１３は，表示ページ作成部１３１，詳細情報一覧作成部１３２を備える。
【００１８】
５はカーソルキーや各種操作ボタンまたはマウス等の入力装置，６は液晶ディスプレイ等の表示装置，７は有線または無線による通信を行うネットワーク，８はＷｅｂサイト等の情報サーバである。
【００１９】
以下では，従来用いられている通常の電子メールを，一般メールと呼び，本発明による表示対象となる情報群を含むメールを，一括受信データメールと呼ぶ。一括受信データメールのメール本文を，一括受信データと呼ぶ。なお，一般メールと一括受信データメールとは，ヘッダ情報などによって識別できるようになっている。
【００２０】
一般メールおよび一括受信データメールは，メール受信部２によって受信され，不揮発性メモリによって構成される受信メール記憶部３に記憶される。一般メール表示制御部４は，受信メール記憶部３に記憶された受信メールの一覧を表示装置６に表示し，さらに一覧から選択された受信メールを表示装置６に表示する。以上の一般メールの表示制御は，従来の電子メールの表示制御と同様である。
【００２１】
一括受信データ表示制御部１０は，本実施の形態では，メタデータメーラエージェント（ＭＭＡ）と呼ばれるソフトウェアプログラムとその実行手段によって構成される。一括受信データ表示制御部１０における一括受信データ一覧作成部１１は，受信メール記憶部３に保存されている一括受信データメールの一覧を作成する処理手段である。入力検出部１２は，入力装置５から入力された選択情報を検出する処理手段である。
【００２２】
表示データ作成部１３は，入力検出部１２によって検出された選択情報に基づき，表示装置６に表示する画面データを作成する処理手段である。特に，この中の表示ページ作成部１３１は，構造化された一括受信データを解析し，Ｗｅｂページに相当するような表示ページの画面データを作成する処理手段であり，詳細情報一覧作成部１３２は，構造化された一括受信データ中の，ある表示ページの下位階層に，さらにＷｅｂページに相当するような表示ページのデータが複数存在する場合に，その表示ページのタイトル等の一覧を作成する処理手段である。
【００２３】
外部情報取得部１４は，入力検出部１２によって検出された選択情報が，現在表示している一括受信データ中に記載された，例えばＵＲＬ（Uniform Resource Locator）のようなものであった場合，すなわち通信を利用して外部の情報源にアクセスする指定情報であった場合に，ネットワーク７を介して外部の情報源である情報サーバ８にアクセスし，通信を利用して情報を取得する処理手段である。
【００２４】
データ表示部１５は，一括受信データ一覧作成部１１によって作成された一覧情報，表示データ作成部１３によって作成された表示データ，または外部情報取得部１４によって取得された情報を，表示装置６に表示する処理手段である。
【００２５】
図３は，データ処理装置１が携帯電話であるときの，画面遷移の例を示している。既に，一般メールおよび一括受信データメールが受信メール記憶部３に記憶されているものとする。図３において，太線で囲んだ画面Ｐ１〜Ｐ７，Ｐ１０〜Ｐ１３，Ｐ２０〜Ｐ２４が新たな通信なしで遷移できる範囲を示している。この範囲の画面のうち，点線で囲んだ範囲の画面Ｐ１０〜Ｐ１３および画面Ｐ２０〜Ｐ２４が，それぞれ一括受信データとして受信したデータに基づいて表示される画面である。画面Ｐ３０，Ｐ４０は，情報取得要求に対して，通信によって取得されたサイト情報を表示する画面である。
【００２６】
待ち受け画面Ｐ１においてメールボタンが押されると，メールボックス画面Ｐ２に遷移する。メールボックス画面Ｐ２において受信ボックスが選択されると，受信ボックスリストの画面Ｐ３に遷移する。なお，各画面において，「戻る」のボタンやクリアボタンによって，一つ前の画面またはある特定の画面に戻るが，これは以降に説明する画面でも同様である。
【００２７】
また，待ち受け画面Ｐ１においてメニューボタンが押されると，メニュー画面Ｐ４に遷移する。メニュー画面Ｐ４には，携帯電話の各種機能を利用するためのアイコンが表示されているが，この中でメールのアイコンが選択されると，メールボックス画面Ｐ２に遷移し，また，例えばアプリケーションソフトのアイコンが選択されると，ソフト一覧画面Ｐ５に遷移する。
【００２８】
ソフト一覧画面Ｐ５には，各種のアプリケーションソフトウェアの一覧が表示されるが，ここでメタデータメーラエージェント（ＭＭＡ）が選択されると，ＭＭＡメニュー画面Ｐ６に遷移する。ＭＭＡメニュー画面Ｐ６では，「受信データ表示」，「お気に入りリスト」，「基本設定」などの各種のメニューが表示される。ここで「受信データ表示」が選択されると，一括受信データ表示制御部１０が起動され，受信データ一覧画面Ｐ７が表示される。これが一括受信データの一覧情報の表示画面である。受信データ一覧画面Ｐ７への画面遷移は，受信ボックスリスト画面Ｐ３において，ＭＭＡを選択することによっても行うことができる。なお，画面Ｐ１〜Ｐ５間の画面遷移は，従来の携帯電話における画面遷移と同様である。
【００２９】
一括受信データメールとして，ここでは「旅行案内」のファイルと「番組案内」のファイルが，あらかじめ受信され，保存されていたとする。受信データ一覧画面Ｐ７には，これらのタイトルが一覧情報として表示される。「旅行案内」が選択されると，「旅行案内」のファイル内に記述されている構造化データに従って，画面Ｐ１０が表示され，この画面Ｐ１０内で「詳細」が選択されると，旅行案内の詳細情報一覧画面Ｐ１１に遷移する。詳細情報一覧画面Ｐ１１における選択に応じて，詳細情報画面である画面Ｐ１２，画面Ｐ１３が表示される。この例では，ホテル詳細情報画面Ｐ１３に外部情報取得のためのボタンが設けられており，このボタンが押されると，通信により情報サーバへのアクセスが行なわれ，そこから得たサイト情報の画面Ｐ３０が表示される。
【００３０】
受信データ一覧画面Ｐ７において「番組案内」が選択された場合にも同様に，そのファイル内に記述されている構造化データに従って番組案内画面Ｐ２０が表示され，選択情報に応じて，番組視聴確認画面Ｐ２１，番組詳細情報一覧画面Ｐ２２，さらに関連チャプター詳細情報画面Ｐ２３，キャスター詳細情報画面Ｐ２４等が，新たな通信なしで表示される。また，この例では，番組視聴確認画面Ｐ２１においてユーザが視聴確認を行うと，コンテンツを配信する情報サーバへのアクセスが行われ，映像コンテンツの再生画面Ｐ４０に遷移するようになっている。
【００３１】
図４は，一括受信データ表示制御部１０の処理フローチャートを示している。メタデータメーラエージェントである一括受信データ表示制御部１０が起動されると，最初に一括受信データ一覧作成部１１が呼び出され，一括受信データ一覧作成部１１は，受信メール記憶部３に記憶されている一括受信データメールの一覧を作成する（ステップＳ１）。この一覧画面は，データ表示部１５を介して表示装置６に表示される（ステップＳ２）。なお，最初に一覧画面を表示する代わりに，初期メニューとして最新の一括受信データメール（受信時間が最後のもの）を自動表示するようにしてもよい。
【００３２】
入力装置５からの入力があると，入力検出部１２は，入力されたときの画面上のカーソル位置情報などからその入力情報を解析し（ステップＳ３），クリアボタン等による終了指示であれば，一括受信データ表示制御部１０の処理を終了する（ステップＳ４）。また，「戻る」ボタンであれば，あらかじめ記憶しておいた一つ前の画面に戻るように，データ表示部１５に指示を出す（ステップＳ５）。
【００３３】
また，入力検出部１２が入力情報を解析した結果，Ｗｅｂサイトへのリンク情報の操作であった場合（ステップＳ６），外部情報取得部１４を呼び出す。外部情報取得部１４は，通信を利用して外部の情報源であるＷｅｂサイト（情報サーバ８）にアクセスして，要求された外部情報を取得し（ステップＳ７），取得した外部情報をデータ表示部１５に渡して表示装置６に表示する（ステップＳ８）。
【００３４】
入力検出部１２が入力情報を解析した結果，詳細情報一覧の表示要求であった場合（ステップＳ９），詳細情報一覧作成部１３２を呼び出す。詳細情報一覧作成部１３２は，一括受信データのタグ等を解析し，構造化された詳細情報を抽出して，その詳細情報の一覧画面データを作成し（ステップＳ１２），データ表示部１５に渡して表示装置６に表示する（ステップＳ１３）。
【００３５】
入力検出部１２が入力情報を解析した結果，新しい画面（表示ページ）の選択情報であった場合，一括受信データのタグ等を解析して，その表示ページの画面データを作成し（ステップＳ１０），データ表示部１５に渡して新しいページの画面を表示装置６に表示する（ステップＳ１１）。その後，ステップＳ３へ戻り，次の選択情報の入力を待つ。
【００３６】
図５は，一括受信データの記述例を示している。本実施の形態では，一括受信データは，ＸＭＬ（extensible markup language）などの構造化されたデータを記述するページ記述言語によって記述される。なお，図３では，説明をわかりやすくするために簡略化した記述の一例を示しているが，ここでは各タグは次のような意味を持つ。
＜全体＞…＜／全体＞：全体の内容を示すページを定義する。
＜詳細＞…＜／詳細＞：詳細情報のページを定義する。
＜タイトル＞…＜／タイトル＞：ページのタイトルを定義する。
＜概要＞…＜／概要＞：ページの概要説明を定義する。
＜キーワード＞…＜／キーワード＞：ページを検索するときのキーワードを定義する。
＜画像＞…＜／画像＞：ページ内に表示する画像を定義する。
＜映像＞…＜／映像＞：ページ内に表示する映像を定義する。
＜関連＞…＜／関連＞：外部情報を取得するためのＵＲＬ等のリンク情報を定義する。
＜開始日時＞…＜／開始日時＞：表示有効期限の開始日時を定義する。
＜期限＞…＜／期限＞：開始日時からの表示有効期限を定義する。
＜ＮＯｘ＞…＜／ＮＯｘ＞：詳細情報のｘ番目のページであることを定義する。
なお，他にも，ＨＴＭＬ等で用いられている各種のタグを用いることができるようにしてもよい。
【００３７】
図６は，一括受信データの表示例を示している。この例では，一括受信データメールとして，アルバム１，アルバム２，アルバム３の一括受信データのファイルがあり，アルバム３が，図５のような構造化データで記述されていたとする。
【００３８】
メタデータメーラエージェントが起動されると，各一括受信データメールのタイトルから，一括受信データ一覧画面Ｐ６０が作成され，表示装置６に表示される。ここで，ユーザが「アルバム３」をクリックすると，図５に示す＜全体＞＜／全体＞タグ内のデータから，表示ページ作成部１３１によって全体情報表示画面Ｐ６１が作成され，表示装置６に表示される。なお，この一括受信データでは，＜全体＞＜／全体＞タグの後に，＜詳細＞＜／詳細＞タグが存在することから，全体情報表示画面Ｐ６１には，「詳細はこちら」のボタンが自動的に付加されている。
【００３９】
この「詳細はこちら」のボタンをユーザがクリックすると，詳細情報一覧作成部１３２よって詳細情報一覧画面Ｐ６２が作成され，表示装置６に表示される。ここでは，＜詳細＞＜／詳細＞タグ内には，＜ＮＯ１＞と＜ＮＯ２＞の２つのページがあり，それらの各タイトルが表示されている。
【００４０】
ユーザが「○○駅」のタイトルをクリックすると，表示ページ作成部１３１は，詳細情報（ＮＯ１）画面Ｐ６３を作成し表示する。詳細情報のページに次ページがあるので，「次」ボタンを画面中に配置する。ユーザが，この「次」ボタンをクリックすると，表示ページ作成部１３１は，次ページである詳細情報（ＮＯ２）画面Ｐ６４を作成し表示する。この画面Ｐ６４には，次ページを表示するための「次」ボタン，また前の画面Ｐ６３を表示するための「前」ボタンが配置される。また，＜関連＞＜／関連＞タグによって，Ｗｅｂサイトへのリンク情報が指定されているので，「→詳細はこちら」のボタンが配置されている。
【００４１】
ここまでは，すべて図５に示す一括受信データ等に基づいて画面が表示されるので，画面の切り替えごとに通信が行われることはなく，迅速に画面が遷移する。ユーザが「→詳細はこちら」のボタンをクリックすると，＜関連＞＜／関連＞タグ内に記述されたリンク情報から，外部情報取得部１４がＷｅｂサイトへアクセスし，サイト情報を取得して，その関連情報画面Ｐ６５を作成し，表示装置６に表示する。メタデータメーラエージェントは，従来のＷｅｂブラウザと同様な機能を持つことにより，この関連情報画面Ｐ６５から他の外部情報である関連情報画面に遷移することもできる。
【００４２】
なお，以上では，メタデータメーラエージェントが画面遷移のためのボタンを自動配置した例を説明したが，もちろん一括受信データの作成者が，ページ間の画面遷移のボタンを明示的に所定のタグによって記述し，ユーザのボタン操作によって一括受信データ内で表示するページの切り替えを実現することもできる。
【００４３】
以上の実施の形態では，一括受信データをメールによって事前に取得する例を説明したが，インターネット等の通信を用いて一括受信データを取得するような実施も可能である。この場合に，Ｗｅｂページに例えば「一括受信」というボタンを設けて，このボタンのクリックによりデータを取得する方法を用いることもできる。
【００４４】
以上の一括受信データを表示する処理は，コンピュータとソフトウェアプログラムとによって実現することができ，そのプログラムをコンピュータ読み取り可能な記録媒体に記録して提供することも，ネットワークを通して提供することも可能である。
【図面の簡単な説明】
【００４５】
【図１】従来の技術と本発明との比較説明図である。
【図２】本発明の一実施形態に係る装置構成例を示す図である。
【図３】画面遷移の例を示す図である。
【図４】一括受信データ表示制御部の処理フローチャートである。
【図５】一括受信データの記述例を示す図である。
【図６】一括受信データの表示例を示す図である。
【符号の説明】
【００４６】
１    データ処理装置
１０  一括受信データ表示制御部
１１  一括受信データ一覧作成部
１２  入力検出部
１３  表示データ作成部
１３１  表示ページ作成部
１３２  詳細情報一覧作成部
１４  外部情報取得部
１５  データ表示部
２    メール受信部
３    受信メール記憶部
４    一般メール表示制御部
５    入力装置
６    表示装置
７    ネットワーク
８    情報サーバ
【図１】
2007188378.tif 000003
【図２】
2007188378.tif 000004
【図３】
2007188378.tif 000005
【図４】
2007188378.tif 000006
【図５】
2007188378.tif 000007
【図６】
2007188378.tif 000008